(57)【要約】【課題】デジタル複合機において、原稿の読み取りから印刷の開始に要する時間を短縮し、かつ、コストダウンを可能にする。【解決手段】ハードウェア回路によって構成された画像処理回路４は、画像データ補正回路３から出力された加色法による赤色、緑色、青色の画像データを減色法によるシアン色Ｃ、マゼンタ色Ｍ、黄色Ｙの画像データに変換し、変換した値をＫ閾値レジスタ１７Ｋ、ｃ閾値レジスタ１７ｃ、ｍ閾値レジスタ１７ｍ等に格納されている第１の閾値、第２の閾値、第３の閾値と比較することにより、画像データを各色毎に分離して、Ｃバッファ５Ｃ、Ｍバッファ５Ｍ、Ｙバッファ５Ｙ、ｃバッファ５ｃ、ｍバッファ５ｍにそれぞれ蓄積する。【選択図】図２
2005333397.tif 000002
【特許請求の範囲】
【請求項１】
原稿に光を照射してその反射光を受光することにより、画像データを読み取るイメージセンサと、このイメージセンサによって読み取られた加色法による３原色の画像データを、減色法による３原色の画像データに変換する画像処理手段と、この画像処理手段によって変換された画像データを一時的に蓄積するバッファ手段と、このバッファ手段に蓄積された画像データに基いて印刷を行う印刷手段と、上記各部を制御する制御手段と、この制御手段の動作プログラムが格納された記憶手段とを備え、単独で原稿の複写が可能なデジタル複合画像形成装置において、
前記イメージセンサは、原稿から各ピクセル毎に赤色、緑色、青色の各色について画像データを読み取り、
前記印刷手段は、シアン色、マゼンタ色、黄色、黒色、及び該シアン色、マゼンタ色より濃度の低いライトシアン色、ライトマゼンタ色の各色のインキを噴射するノズルを有し、
前記制御手段は１つのＣＰＵであり、
前記画像処理手段は、
ハードウェア回路によって構成され、
各ピクセル毎に、前記イメージセンサによって読み取られた赤色についての画像データに基いてシアン色についての画像データを算出し、前記イメージセンサによって読み取られた緑色についての画像データに基いてマゼンタ色についての画像データを算出し、前記イメージセンサによって読み取られた青色についての画像データに基いて黄色についての画像データを算出し、その算出した画像データを前記バッファ手段に蓄積し、
前記シアン色、マゼンタ色、黄色のすべての画像データが第１の閾値以上であるピクセルについては、前記印刷手段に前記黒色のインキを噴射させ、
前記シアン色、マゼンタ色、黄色のいずれかの画像データが前記第１の閾値未満のピクセルについては、前記印刷手段に前記黄色のインキを噴射させ、前記シアン色、マゼンタ色、黄色のいずれかの画像データが前記第１の閾値未満のピクセルであって、前記シアン色の画像データが第２の閾値以上であるピクセルについては、前記印刷手段に前記シアン色のインキを噴射させ、前記シアン色、マゼンタ色、黄色のいずれかの画像データが前記第１の閾値未満のピクセルであって、前記マゼンタ色の画像データが第３の閾値以上であるピクセルについては、前記印刷手段に前記マゼンタ色のインキを噴射させ、
前記シアン色の画像データが第２の閾値未満のピクセルについては、前記印刷手段に前記ライトシアン色のインキを噴射させ、前記マゼンタ色の画像データが第３の閾値未満のピクセルについては、前記印刷手段に前記ライトマゼンタ色のインキを噴射させ、
前記制御手段の負担を増やすことなく、原稿の画像データを読み取りながら、加色法による３原色の画像データを、減色法による３原色の画像データに変換し、６色インキで印刷することを特徴とするデジタル複合画像形成装置。
【請求項２】
原稿に光を照射してその反射光を受光することにより、画像データを読み取るイメージセンサと、このイメージセンサによって読み取られた加色法による３原色の画像データを、減色法による３原色の画像データに変換する画像処理手段と、この画像処理手段によって変換された画像データに基いて印刷を行う印刷手段と、上記各部を制御する制御手段と、この制御部の動作プログラムが格納された記憶手段とを備え、単独で原稿の複写が可能なデジタル複合画像形成装置において、
前記イメージセンサは、原稿から各ピクセル毎に赤色、緑色、青色の各色について画像データを読み取り、
前記画像処理手段は、
ハードウェア回路によって構成され、
各ピクセル毎に、前記イメージセンサによって読み取られた赤色についての画像データのみに基いてシアン色についての画像データを算出し、前記イメージセンサによって読み取られた緑色についての画像データのみに基いてマゼンタ色についての画像データを算出し、前記イメージセンサによって読み取られた青色についての画像データのみに基いて黄色についての画像データを算出し、
前記制御手段の負担を増やすことなく、原稿の画像データを読み取りながら、加色法による３原色の画像データを、減色法による３原色の画像データに変換し、印刷することを特徴とするデジタル複合画像形成装置。
【請求項３】
前記印刷手段は、シアン色、マゼンタ色、黄色、黒色の各色のインキを噴射するノズルを有し、
前記画像処理手段は、
前記シアン色、マゼンタ色、黄色の全ての画像データが所定の閾値以上であるピクセルについては、前記印刷手段に前記黒色のインキを噴射させ、
前記シアン色、マゼンタ色、黄色のいずれかの画像データが前記閾値未満のピクセルについては、前記印刷手段に前記シアン色、マゼンタ色、黄色のインキを噴射させることを特徴とする請求項２に記載のデジタル複合画像形成装置。
【発明の詳細な説明】
【技術分野】
【０００１】
本発明は、プリント機能とスキャン機能を有し、パーソナルコンピュータ等のホスト機能を備えた機器に接続することなく、単独で原稿の複写が可能なデジタル複合画像形成装置（以下、デジタル複合機と記す）に関するものである。
【背景技術】
【０００２】
デジタル複合機においては、例えば、印刷用紙のサイズに合わせるために、イメージセンサ（スキャナ部）で読み取った画像データを拡大／縮小する画像処理機能が備えられている。このような画像処理は、デジタル複合機にパーソナルコンピュータ等のホスト機器が接続されている場合、パーソナルコンピュータのＣＰＵによって簡単に処理することができる。一方、単独で原稿の複写が可能な、いわゆるスタンドアローンタイプのデジタル複合機にあっては、ホスト機器に接続することなく、又はホスト機器を起動することなく複写処理を行うために、スキャンコントロール、プリントコントロール及びデジタル複合機全体の制御を行うための３つのＣＰＵと、画像処理を行うための１つのＤＳＰ（Digital Signal Processor）が用いられている。
【０００３】
このような画像形成装置においては、通常、イメージセンサで読み取った画像データは、加色法による３原色、すなわち、赤色、緑色、青色の画像データであるのに対して、プリンタによって印刷する際に用いられる画像データは、減色法による３原色、すなわち、シアン色、マゼンタ色、黄色の画像データである。そのため、上述した複合機内で実行される画像処理の１つとして、加色法による３原色の画像データから減色法による３原色の画像データへの変換が行われている。
【０００４】
なお、画像形成装置においては、無彩色信号と輝度信号に基き黒画素を判別するもの（例えば、特許文献１参照）、また、コントラストの弱い画像データを濃く印刷するもの（例えば、特許文献２参照）が知られている。
【特許文献１】特開平１−２００９６４号公報
【特許文献２】特開２０００−２８７０９０号公報
【発明の開示】
【発明が解決しようとする課題】
【０００５】
しかしながら、上述した従来のデジタル複合機は、ＤＳＰを用いたファームウェア処理によって画像処理を行う構成であるので、その処理速度は、デジタル複合機内のＣＰＵ及びそれと同期しながら動作するＤＳＰの動作周波数に依存することになる。そのため、短時間に画像処理を完了させて印刷動作を開始するためには、複合機内のＣＰＵ及びＤＳＰの動作クロックの周波数を高める必要があり、例えば、３つのＣＰＵの動作クロックの周波数は１００ＭＨｚ、ＤＳＰの動作クロックの周波数は２００ＭＨｚ程度を必要とする。そのため、高価なＣＰＵやＤＳＰを多数使用しなければならず、デジタル複合機のコストダウンを妨げる要因となっている。
【０００６】
このような課題は、上記特許文献１及び特許文献２に示された技術を適用しても解決することができない。
【０００７】
本発明は、上記課題を解決するためになされたものであり、動作クロックの周波数の高いＣＰＵやＤＳＰを用いることなく、加色法による３原色の画像データを減色法による３原色の画像データに変換することにより、コストダウンを可能としたデジタル複合機を提供することを目的とする。
【課題を解決するための手段】
【０００８】
上記目的を達成するために請求項１の発明は、原稿に光を照射してその反射光を受光することにより、画像データを読み取るイメージセンサと、このイメージセンサによって読み取られた加色法による３原色の画像データを、減色法による３原色の画像データに変換する画像処理手段と、この画像処理手段によって変換された画像データを一時的に蓄積するバッファ手段と、このバッファ手段に蓄積された画像データに基いて印刷を行う印刷手段と、上記各部を制御する制御手段と、この制御手段の動作プログラムが格納された記憶手段とを備え、単独で原稿の複写が可能なデジタル複合画像形成装置において、イメージセンサは、原稿から各ピクセル毎に赤色、緑色、青色の各色について画像データを読み取り、印刷手段は、シアン色、マゼンタ色、黄色、黒色、及び該シアン色、マゼンタ色より濃度の低いライトシアン色、ライトマゼンタ色の各色のインキを噴射するノズルを有し、制御手段は１つのＣＰＵであり、画像処理手段は、ハードウェア回路によって構成され、各ピクセル毎に、イメージセンサによって読み取られた赤色についての画像データに基いてシアン色についての画像データを算出し、イメージセンサによって読み取られた緑色についての画像データに基いてマゼンタ色についての画像データを算出し、イメージセンサによって読み取られた青色についての画像データに基いて黄色についての画像データを算出し、その算出した画像データをバッファ手段に蓄積し、シアン色、マゼンタ色、黄色のすべての画像データが第１の閾値以上であるピクセルについては、印刷手段に黒色のインキを噴射させ、シアン色、マゼンタ色、黄色のいずれかの画像データが第１の閾値未満のピクセルについては、印刷手段に黄色のインキを噴射させ、シアン色、マゼンタ色、黄色のいずれかの画像データが第１の閾値未満のピクセルであって、シアン色の画像データが第２の閾値以上であるピクセルについては、印刷手段にシアン色のインキを噴射させ、シアン色、マゼンタ色、黄色のいずれかの画像データが第１の閾値未満のピクセルであって、マゼンタ色の画像データが第３の閾値以上であるピクセルについては、印刷手段にマゼンタ色のインキを噴射させ、シアン色の画像データが第２の閾値未満のピクセルについては、印刷手段にライトシアン色のインキを噴射させ、マゼンタ色の画像データが第３の閾値未満のピクセルについては、印刷手段にライトマゼンタ色のインキを噴射させ、制御手段の負担を増やすことなく、原稿の画像データを読み取りながら、加色法による３原色の画像データを、減色法による３原色の画像データに変換し、６色インキで印刷するものである。
【０００９】
請求項２の発明は、原稿に光を照射してその反射光を受光することにより、画像データを読み取るイメージセンサと、このイメージセンサによって読み取られた加色法による３原色の画像データを、減色法による３原色の画像データに変換する画像処理手段と、この画像処理手段によって変換された画像データに基いて印刷を行う印刷手段と、上記各部を制御する制御手段と、この制御部の動作プログラムが格納された記憶手段とを備え、単独で原稿の複写が可能なデジタル複合画像形成装置において、イメージセンサは、原稿から各ピクセル毎に赤色、緑色、青色の各色について画像データを読み取り、画像処理手段は、ハードウェア回路によって構成され、各ピクセル毎に、イメージセンサによって読み取られた赤色についての画像データのみに基いてシアン色についての画像データを算出し、イメージセンサによって読み取られた緑色についての画像データのみに基いてマゼンタ色についての画像データを算出し、イメージセンサによって読み取られた青色についての画像データのみに基いて黄色についての画像データを算出し、制御手段の負担を増やすことなく、原稿の画像データを読み取りながら、加色法による３原色の画像データを、減色法による３原色の画像データに変換し、印刷するものである。
【００１０】
請求項３の発明は、請求項２に記載のデジタル複合画像形成装置において、印刷手段は、シアン色、マゼンタ色、黄色、黒色の各色のインキを噴射するノズルを有し、画像処理手段は、シアン色、マゼンタ色、黄色の全ての画像データが所定の閾値以上であるピクセルについては、印刷手段に黒色のインキを噴射させ、シアン色、マゼンタ色、黄色のいずれかの画像データが閾値未満のピクセルについては、印刷手段にシアン色、マゼンタ色、黄色のインキを噴射させるものである。
【発明の効果】
【００１１】
請求項１の発明によれば、画像処理手段がハードウェア回路によって構成されているので、制御手段（ＣＰＵ）の負担を増やすことなく、イメージセンサによって読み取られた加色法による３原色の画像データを減色法による３原色の画像データに変換することができる。これにより、原稿の読み取りから印刷に要する時間を短縮しながらも、制御手段として動作クロックの周波数の低い安価なプロセッサを適用することが可能となり、装置のコストダウンを図ることができる。また、赤色についての画像データのみ、緑色についての画像データのみ、及び青色についての画像データのみに基いて、それぞれシアン色、マゼンタ色、及び黄色についての画像データが算出されるので、画像処理手段の回路構成を簡素化することができ、より一層のコストダウンを図ることができる。また、画像処理手段は、シアン色、マゼンタ色、及び黄色についての画像データと、第１の閾値乃至第４の閾値とを比較し、その結果に基いて、６色のインキの噴射を適宜制御するので、写真並の階調表現に優れた画質を得ることができる。
【００１２】
請求項２の発明によれば、画像処理手段がハードウェア回路によって構成されているので、制御手段（ＣＰＵ）の負担を増やすことなく、イメージセンサによって読み取られた加色法による３原色の画像データを減色法による３原色の画像データに変換することができる。これにより、原稿の読み取りから印刷に要する時間を短縮しながらも、制御手段として動作クロックの周波数の低い安価なプロセッサを適用することが可能となり、装置のコストダウンを図ることができる。また、赤色についての画像データのみ、緑色についての画像データのみ、及び青色についての画像データのみに基いて、それぞれシアン色、マゼンタ色、及び黄色についての画像データが算出されるので、画像処理手段の回路構成を簡素化することができ、より一層のコストダウンを図ることができる。
【００１３】
請求項３の発明によれば、画像処理手段は、シアン色、マゼンタ色、及び黄色についての画像データと所定の閾値閾値とを比較し、その結果に基いて、４色のインキの噴射を制御するので、優れた画質を得ることができる。
【発明を実施するための最良の形態】
【００１４】
本発明を実施するための最良の実施形態によるデジタル複合機について図面を参照して説明する。図１はインクジェット方式のデジタル複合機の概略のブロック構成を示している。デジタル複合機は、原稿の画像データを読み取ってアナログ電気信号に変換するイメージセンサ１と、イメージセンサ１によって読み取られた画像データのアナログ電気信号をデジタル電気信号に変換するアナログフロントエンド回路（ＡＦＥ）２と、ＡＦＥ２から出力された画像データを必要に応じて補正する画像データ補正回路３と、画像データ補正回路３によって補正された画像データの拡大／縮小処理を行う画像処理回路（画像処理手段）４と、画像処理回路４が処理した画像データを蓄積するバッファ（バッファ手段）５と、バッファ５に蓄積された画像データに基いて、印刷キャリッジの制御を行う印刷制御回路６及び紙送りモータ（図示せず）等の機械制御を行う機械制御回路７と、機械制御回路７から出力された制御信号に基いて紙送りモータ等に駆動電圧を印加するモータ駆動回路８と、装置各部の制御を司るＣＰＵ（制御手段）９と、ＣＰＵ９の動作プログラム及び動作に必要な各種のデータが格納されているメモリ（記憶手段）１０、印刷キャリッジ（印刷手段）１１等によって構成されている。
【００１５】
上述した画像データ補正回路３、画像処理回路４、印刷制御回路６、機械制御回路７、ＣＰＵ９は、１チップのＡＳＩＣ１２に統合されている。なお、本実施形態におけるＣＰＵ９には、動作クロックの周波数が４８ＭＨｚのものが使用されている。また、ＡＳＩＣ１２には、イメージセンサ１、ＡＦＥ２に同期信号を出力するタイミングジェネレータ１３、及び複合機に接続されているパーソナルコンピュータ（ホストＰＣ）２０とＵＳＢケーブルにて接続され、ホストＰＣ２０との間のインターフェースとして機能するＵＳＢデバイス制御回路１４も組み込まれている。
【００１６】
イメージセンサ１は、画素（ピクセル）が１列に配列されたＣＣＤ（Charge Coupled Device）又はＣＩＳ(Contact Image Sensor)等により構成され、原稿に光を照射してその反射光を受光することにより、１ライン(例えば、５１００ピクセル)毎に画像データを読み取って電気信号に変換する。画像データ補正回路３は、ＡＦＥ２から出力された画像データのブラックレベル、各画素毎の感度、ＲＧＢ各色のレベル補正、ガンマ補正を行う。画像データ補正回路３によって補正された画像データは、ＣＰＵ９により切り替え制御される切り替えスイッチ１５によって、画像処理回路４又はＵＳＢデバイス制御回路１４に択一的に出力される。すなわち、切り替えスイッチ１５が画像処理回路４の側に閉じているとき、デジタル複合機は、原稿の画像データを単独で複写することができる。一方、切り替えスイッチ１５がＵＳＢデバイス制御回路１４の側に閉じているとき、画像データ補正回路３から出力された画像データは、ＵＳＢデバイス制御回路１４を介してパーソナルコンピュータ２０に転送される。
【００１７】
画像処理回路４は、ハードウェア回路（ロジック回路）によって構成されており、ＣＰＵ９から出力される制御信号に応じて、画像データ補正回路３から出力された加色法による３原色（赤色Ｒ、緑色Ｇ、青色Ｂ）の画像データを減色法による３原色の（シアン色Ｃ、マゼンタ色Ｍ、黄色Ｙ）の画像データに変換し、変換後の画像データをバッファ５に蓄積させる。画像処理回路４による画像データの変換は、以下の式（１）乃至式（３）に示す簡素な演算によって実現される。
Ｃ＝１−Ｒ                                                          （１）
Ｍ＝１−Ｇ                                                          （２）
Ｙ＝１−Ｂ                                                          （３）
【００１８】
図２は、６色印刷モード対応の画像処理回路４及びバッファ５の構成を示している。６色印刷とは、例えば、シアン色、マゼンタ色、黄色、黒色、及び該シアン色、マゼンタ色より濃度の低いライトシアン色、ライトマゼンタ色によって構成される６色のインキを用いた印刷である。この６色印刷モードに対応するデジタル複合機においては、印刷キャリッジは、上記６色のインキを噴射するためのノズルを有している。また、バッファ５は、黒色インキで印刷するピクセルの画像データを蓄積するＫバッファ５Ｋと、シアン色インキで印刷するピクセルの画像データを蓄積するＣバッファ５Ｃと、マゼンタ色インキで印刷するピクセルの画像データを蓄積するＭバッファ５Ｍと、黄色インキで印刷するピクセルの画像データを蓄積するＹバッファ５Ｙと、ライトシアン色インキで印刷するピクセルの画像データを蓄積するｃバッファ５ｃと、ライトマゼンタ色インキで印刷するピクセルの画像データを蓄積するｍバッファ５ｍとを有している。画像処理回路４には、イメージセンサによって読み取られ、上述のごとく変換されたシアン色、マゼンタ色、黄色、黒色の画像データが入力される。黒色の画像データは、シアン色、マゼンタ色、黄色から求められる。
【００１９】
画像処理回路４は、まず、黒色のインキ（Ｍｏｎｏ  Ｈｅａｄ）で印刷するドットを切り分けするため、シアン色、マゼンタ色、黄色のすべての画像データが第１の閾値以上の値を有するピクセルについての画像データを、Ｋバッファ５Ｋに蓄積する。シアン色、マゼンタ色、黄色のいずれかの画像データが第１の閾値未満のピクセルについては、各色の画像データと、各色毎に定められた第２の閾値及び第３の閾値とを比較し、これらの閾値以上の値を有するピクセルについての画像データを、それぞれＣバッファ５Ｃ、Ｍバッファ５Ｍ、Ｙバッファ５Ｙに蓄積する。また、シアン色、マゼンタ色の画像データが、第２の閾値及び第３の閾値未満の値を有するピクセルについては、それぞれｃバッファ５ｃ、ｍバッファ５ｍに蓄積する。これにより、各ピクセルの画像データがそれぞれの色のバッファに分離して蓄積され、各バッファに蓄積された画像データは、画像処理回路４に別途実装されている擬似中間調処理回路によって擬似中間調処理が施された後、印刷キャリッジ１１によって印刷される。なお、第１の閾値は、例えばＫ閾値レジスタ１７Ｋに格納され、第２の閾値及び第３の閾値は、例えばｃ閾値レジスタ１７ｃ及びｍ閾値レジスタ１７ｍ等に格納されている。また、本実施形態のデジタル複合機においては、シアン色、マゼンタ色、黄色、及び黒色によって構成される４色のインキを用いた４色印刷モードで印刷することもできる。印刷モードの切り替えは、コントロールレジスタ１８のビットに割当てられた値に基いて制御される。４色印刷モードにおいては、Ｋバッファ５Ｋ、Ｃバッファ５Ｃ、Ｍバッファ５Ｍ、Ｙバッファ５Ｙに蓄積された画像データを用いて各色のノズルの噴射を制御すればよい。
【００２０】
図３は、画像処理回路４及びバッファ５の変形例として、４色印刷モードのみ対応の回路構成を示している。４色印刷とは、例えば、シアン色、マゼンタ色、黄色、及び黒色によって構成される４色のインキを用いた印刷である。この４色印刷に対応するデジタル複合機においては、印刷キャリッジは、上記４色のインキを噴射するためのノズルを有している。また、バッファ５は、黒色インキで印刷するピクセルの画像データを蓄積するＫバッファ５Ｋと、シアン色インキで印刷するピクセルの画像データを蓄積するＣバッファ５Ｃと、マゼンタ色インキで印刷するピクセルの画像データを蓄積するＭバッファ５Ｍと、黄色インキで印刷するピクセルの画像データを蓄積するＹバッファ５Ｙとを有している。画像処理回路４には、イメージセンサによって読み取られ、上述のごとく変換されたシアン色、マゼンタ色、黄色、黒色の画像データが入力される。黒色の画像データは、シアン色、マゼンタ色、黄色から求められる。
【００２１】
画像処理回路４は、まず、黒色のインキ（Ｍｏｎｏ  Ｈｅａｄ）で印刷するドットを切り分けするため、シアン色、マゼンタ色、黄色のすべての画像データが第１の閾値以上の値を有するピクセルについての画像データを、Ｋバッファ５Ｋに蓄積する。一方、シアン色、マゼンタ色、黄色のいずれかの画像データが第１の閾値未満のピクセルは、それぞれＣバッファ５Ｃ、Ｍバッファ５Ｍ、Ｙバッファ５Ｙに蓄積される。これにより、各ピクセルの画像データがそれぞれの色のバッファに分離して蓄積され、上記と同様に、擬似中間調処理が施された後、印刷キャリッジ１１によって印刷される。なお、第１の閾値は、例えばＫ閾値レジスタ１７Ｋに格納されている。
【００２２】
以上のように、本実施形態のデジタル複合機によれば、画像処理回路４がハードウェア回路によって構成されているので、ＣＰＵ９の負担を増やすことなく、原稿の画像データを読み取りながら、その読み取られた加色法による３原色の画像データを減色法による３原色の画像データに変換することができる。これにより、原稿の読み取りから印刷に要する時間を短縮しながらも、ＣＰＵ９として動作クロックの周波数の低い安価なプロセッサを適用することが可能となり、装置のコストダウンを図ることが可能となる。また、赤色についての画像データのみ、緑色についての画像データのみ、及び青色についての画像データのみに基いて、それぞれシアン色、マゼンタ色、及び黄色についての画像データが算出されるので、画像処理手段の回路構成を簡素化することができ、より一層のコストダウンを図ることができる。また、画像処理回路４は、シアン色、マゼンタ色、及び黄色についての画像データと、第１の閾値等とを比較し、その結果に基いて各ピクセルの画像データをそれぞれの色のバッファに分離して蓄積し、６色又は４色のインキの噴射を適宜制御するので、写真並の階調表現に優れた画質を得ることができる。
【００２３】
なお、本発明は上記実施形態の構成に限られることなく種々の変形が可能である。例えば、画像処理回路４は、式（１）乃至式（３）に示す演算によって色変換を行うものに限られることなく、他のアルゴリズム、例えば、所定の変換マトリクスを用いた演算に対応するハードウェア回路であってもよい。また、各色に対応するバッファへの画像データの分離は、図２又は図３に示した構成に限られることなく、他のアルゴリズムに対応するハードウェア回路で行ってもよい。また、プリント機能は、インジェット方式のプリンタによって実現されるものに限られることなく、レーザ方式のプリンタによるものであっても構わない。
【図面の簡単な説明】
【００２４】
【図１】本発明の一実施形態によるデジタル複合機の概略構成を示すブロック図。
【図２】同複合機に適用される６色印刷モードに対応する画像処理回路の構成を示す図。
【図３】同複合機に適用される４色印刷モードに対応する画像処理回路の構成を示す図。
【符号の説明】
【００２５】
１    イメージセンサ
４    画像処理回路(画像処理手段)
５    バッファ（バッファ手段）
９    ＣＰＵ（制御手段）
１０    メモリ（記憶手段）
１１    印刷キャリッジ（印刷手段）
【図１】
2005333397.tif 000003
【図２】
2005333397.tif 000004
【図３】
2005333397.tif 000005